(57)【要約】【課題】  ベゼルの位置合わせが容易で、かつ、位置合わせされたベゼルが不用意に回転されないようにできる時計を提供することにある。【解決手段】  胴16のベゼル配置部22にベゼル31を回転可能に配置する。クリック部材36を、胴の段付き孔25に上下動自在に収容し、かつ、ベゼル31の複数の凹凸からなる係合部33に向けて付勢する。斜状の押上げ面45aを有した陥没部45及び押上げ面に連続する閉鎖面45cを設けた操作部材42を、段付き孔25の下端に直角に交差して胴に形成された収容部26に移動可能に収容する。閉鎖面で段付き孔25の下端を閉じる位置に操作部材42を付勢する。押上げ面を経由して陥没部45に出し入れ可能なストッパ部材49をクリック部材36と操作部材42との間に配置する。部材42の移動により、ストッパ部材49が閉鎖面45cに支持された状態でクリック部材36の動きを拘束し、この拘束を部材49が陥没部45に落ち込むことで解除してクリック部材36の上下動を許すようにしている。【選択図】  図３
2008128880.tif 000002
【特許請求の範囲】
【請求項１】
上方及び外周面に開放する円環状の窪みからなるベゼル配置部、この配置部の底面に開放する大径孔部とこの孔部の下端に連通する小径孔部からなる段付き孔、及び前記小径孔部の下端に連通して前記段付き孔に直角に交差する収容部が形成された胴と、
前記ベゼル配置部に嵌合されて前記胴に対し時計回り及び反時計回りの双方向に回転可能に配置されるとともに、前記ベゼル配置部の底面に対向する裏面に前記回転の方向に並んだ複数の凹凸からなる係合部が形成された円環状のベゼルと、
前記段付き孔に上下動自在に収容されて前記係合部に係脱するクリック部材と、
前記大径孔部に収容されて前記クリック部材を前記係合部に向けて常に付勢する付勢体と、
斜状の押上げ面を有した陥没部及びこの陥没部の開放端に前記押上げ面から連続する閉鎖面を有して前記収容部に移動可能に収容され、前記胴の外部からの操作で前記陥没部が前記小径孔部の下端に連続するロック解除位置に配置される操作部材と、
この操作部材を常に付勢して前記閉鎖面が前記小径孔部の下端を閉じるロック位置に前記操作部材を配置させる付勢部材と、
前記クリック部材と前記操作部材との間に配置され、前記操作部材の移動により前記押上げ面を経由して前記陥没部に出し入れ可能で、前記陥没部から出て前記閉鎖面に支持された状態で前記係合部から前記クリック部材が外れる動作を拘束し、かつ前記陥没部に落ち込んだ状態で前記拘束を解除して前記クリック部材の上下動を許すストッパ部材と、
を具備した時計。
【請求項２】
前記クリック部材を、前記ストッパ部材に上方から接離される下端を有した軸部と、この軸部の上端に一体に形成されて前記係合部に係脱されるとともに前記付勢体を受ける半球状のヘッド部とで形成した請求項１に記載の時計。
【請求項３】
前記クリック部材を、前記ストッパ部材に上方から接離される下端を有するとともにヘッド受け部を上端に有した軸部と、前記ヘッド受け部上に回転可能に配置されて前記係合部に係脱される球体からなるヘッド部とで形成した請求項１に記載の時計。
【請求項４】
前記収容部を前記胴の径方向に延びる孔で形成するとともに、前記操作部材を、前記収容部に摺動可能に嵌合された挿入軸部及びこの軸部に一体に形成されて前記胴の外部に突出される押しボタン部から形成し、前記陥没部を前記挿入軸部の周方向に一回り連続した溝で形成するとともに、前記陥没部より胴内側に位置した前記挿入軸部の周面を前記閉鎖面とした請求項１から３の内のいずれか一項に記載の時計。
【請求項５】
前記ストッパ部材を球体により形成した請求項１から４の内のいずれか一項に記載の時計。
【発明の詳細な説明】
【技術分野】
【０００１】
本発明は、腕時計や懐中時計等のように携帯して使用される時計に係り、特に、回転可能なベゼルを備えた時計に関する。
【背景技術】
【０００２】
従来、胴に回転可能に配置されたベゼルは、その回転操作に伴ってクリック感を与える構成により所望の操作位置に保持されるようになっている。そのための構成として、クリックボール式と板ばね式とが知られている。
【０００３】
クリックボール式では、ベゼルの裏面に、このベゼルの回転の方向に並んだ複数の凹凸からなる係合歯が形成されたクリック溝を設けるとともに、係合歯に係脱される鋼球、及びこの鋼球を係合歯に押付けるコイルばねを胴に設けている。この構成では、ベゼルが時計回り及び反時計回りのいずれかの方向に任意に回転されると、鋼球が係合歯に押されてコイルばねが変形するので、ベゼルの回転が許容される。そして、ベゼルが一定角度回転するごとに、コイルばねの力でクリック溝の係合歯間に鋼球が入り込むので、その都度クリック感が与えられる。これとともに、ベゼルの回転力を消失させた時点の回転位置で、クリック溝の係合歯間へ鋼球が入り込むことにより、ベゼルを所望回転位置に保持できる（例えば、特許文献１参照。）。
【０００４】
又、板ばね式では、時計用ケースのケース本体に歯車状の歯部を形成し、ケース本体に回転可能に設置されたベゼルに、係止部材と押圧部材とを取付けている。係止部材は、ケース本体の歯部に係合してベゼルの回転を一方向にのみ禁止する第１の係止部と、歯部に係合して前記一方向とは逆方向のベゼルの回転のみを禁止する第２の係止部を有している。これら第１、第２の係止部は板ばねからなる。押圧部材は、第１の係止部を押圧して歯部から離間させる押しボタンである。そのため、押圧部材を押した状態でベゼルを前記一方向に回転操作することができ（この場合、第２の係止部は弾性変形して歯部の通過を許すことができる。）、任意の回転位置で押圧部材の押圧を解除するに伴い第１の係止部は自らの弾性力で歯部に係合する。その結果、第１、第２の係止部が共にケース本体の歯部に係合した状態を得て、前記任意の回転位置にベゼルを確実に固定できる（例えば、特許文献２参照。）。
【特許文献１】特開２００３−２７０３６５号公報（段落０００２−０００９、図３）
【特許文献２】特開２００５−３２６２８０号公報（段落００１５−００３８、図１−図１０）
【発明の開示】
【発明が解決しようとする課題】
【０００５】
クリックボール式の従来技術では、ベゼルを時計回り又は反時計回りのいずれの方向に回転できるが、所望回転位置へのベゼルの保持をコイルばねの力のみに依存しているので、ベゼルを所望回転位置に保持する信頼性が低い。そのため、時計の携帯時にベゼルに作用する外力によって、ベゼルが不用意に回転されることがある。
【０００６】
又、板ばね式の従来技術では、ベゼルの回転が一方向のみに規制されているので、ベゼルが誤操作により所望の回転位置から少しずれて回転された場合、ベゼルを逆回転させることができない。そのため、再度、ベゼルを略１回転させて所望回転位置に合わせなくてはならず、手間がかかる。しかも、ベゼルに取付けられている押圧部材を押しながらベゼルを回転させる際に、ベゼルと共に押圧部材を押している使用者の指も移動するので、腕に時計を装着した状態でベゼルを略１回転させるなど回転操作量が多い場合には、操作する手の特に手首の関節での動きが窮屈になって操作上不便である。
【０００７】
本発明の目的は、ベゼルの位置合わせが容易で、かつ、位置合わせされたベゼルが不用意に回転されないようにできる時計を提供することにある。
【課題を解決するための手段】
【０００８】
本発明は、上方及び外周面に開放する円環状の窪みからなるベゼル配置部、この配置部の底面に開放する大径孔部とこの孔部の下端に連通する小径孔部からなる段付き孔、及び前記小径孔部の下端に連通して前記段付き孔に直角に交差する収容部が形成された胴と、前記ベゼル配置部に嵌合されて前記胴に対し時計回り及び反時計回りの双方向に回転可能に配置されるとともに、前記ベゼル配置部の底面に対向する裏面に前記回転の方向に並んだ複数の凹凸からなる係合部が形成された円環状のベゼルと、前記段付き孔に上下動自在に収容されて前記係合部に係脱するクリック部材と、前記大径孔部に収容されて前記クリック部材を前記係合部に向けて常に付勢する付勢体と、斜状の押上げ面を有した陥没部及びこの陥没部の開放端に前記押上げ面から連続する閉鎖面を有して前記収容部に移動可能に収容され、前記胴の外部からの操作で前記陥没部が前記小径孔部の下端に連続するロック解除位置に配置される操作部材と、この操作部材を常に付勢して前記閉鎖面が前記小径孔部の下端を閉じるロック位置に前記操作部材を配置させる付勢部材と、前記クリック部材と前記操作部材との間に配置され、前記操作部材の移動により前記押上げ面を経由して前記陥没部に出し入れ可能で、前記陥没部から出て前記閉鎖面に支持された状態で前記係合部から前記クリック部材が外れる動作を拘束し、かつ前記陥没部に落ち込んだ状態で前記拘束を解除して前記クリック部材の上下動を許すストッパ部材と、を具備している。
【０００９】
本発明では、操作部材を付勢部材に抗してロック解除位置に移動することにより、クリック部材の拘束が解除される。つまり、操作部材がロック解除位置に配置されると、その陥没部が段付き孔の小径部下端に対向するので、ストッパ部材が自重により陥没部に落ち込む。この一方で、クリック部材は付勢体で押上げられているので、クリック部材とこの下方に離れて配置されたストッパ部材との間には、クリック部材の下降を許す隙間が設けられる。この隙間は、クリック部材がベゼルの係合部に係脱するのに十分な大きさであるから、ベゼルを回転操作することが可能となる。
【００１０】
ベゼルが回転された時、クリック部材は、ベゼルの係合部の凸と付勢体の力とで、係合部の凸の高さに略見合った分だけ上下動されてベゼルの係合部の凹みに係脱するクリック動作を営むので、その都度、クリック部材によってクリック感を与えることができる。これとともに、ベゼルの回転方向は一方向に限定されないので、ベゼルの回転が行き過ぎた場合には、ベゼルを、再度略一回転させる手間を要することなく逆回転操作して所定位置に容易に合わせることができる。以上のベゼルの回転操作において、胴に取付けられている操作部材をロック解除位置に保持する使用者の指は、ベゼルの回転と共に移動することがない。このため、ベゼルを略１回転させる場合でも、手首などに窮屈な感じを与え難く、ベゼルを容易に回転させることができる。
【００１１】
そして、ベゼルを位置合わせした後に、操作部材から指を離すことにより、この操作部材は付勢部材の付勢力によりロック位置に移動される。これに伴い、陥没部の押上げ斜面でストッパ部材が陥没部から押し出され、操作部材の閉鎖面が段付き孔の小径孔部の下端を閉鎖するとともに、押し出されたストッパ部材が閉鎖面上に支持される。それにより、ベゼルの係合部の凹みに係合しているクリック部材の下端に、ストッパ部材が当接若しくは接近して、クリック部材が係合部から外れることができない状態、つまり、クリック部材がロック状態に保持される。このロック状態は、人為的に解除しない限り維持されるので、時計の携帯中にベゼルにこれを回そうとする外力が作用することがあっても、位置合わせされたベゼルが不用意に回転されないようにできる。
【００１２】
本発明の好ましい形態では、前記クリック部材を、前記ストッパ部材に上方から接離される下端を有した軸部と、この軸部の上端に一体に形成されて前記係合部に係脱されるとともに前記付勢体を受ける半球状のヘッド部とで形成している。
【００１３】
この発明の形態では、クリック部材を単一部品とできる。
【００１４】
本発明の好ましい形態では、前記クリック部材を、前記ストッパ部材に上方から接離される下端を有するとともにヘッド受け部を上端に有した軸部と、前記ヘッド受け部上に回転可能に配置されて前記係合部に係脱される球体からなるヘッド部とで形成している。
【００１５】
この発明の形態では、ベゼルが回転されるたびに球体からなるヘッド部がヘッド受け部上で回転するので、円滑なクリック動作が得られる。更に、ヘッド部の回転に伴いこれとベゼルの係合部との接触箇所が変わるので、ヘッド部の特定の接触箇所の摩耗がヘッド部の他の箇所よりも進行しないようにできる点で好ましい。
【００１６】
本発明の好ましい形態では、前記収容部を前記胴の径方向に延びる孔で形成するとともに、前記操作部材を、前記収容部に摺動可能に嵌合された挿入軸部及びこの軸部に一体に形成されて前記胴の外部に突出される押しボタン部から形成し、前記陥没部を前記挿入軸部の周方向に一回り連続した溝で形成するとともに、前記陥没部より胴内側に位置した前記挿入軸部の周面を前記閉鎖面としている。
【００１７】
この発明の形態では、操作部材をロック位置に配置する操作が押しボタン部の押圧操作で済むので、操作性がよい。更に、操作部材が有した挿入軸部の周面を閉鎖面として利用したので、操作部材の構成が簡単である点で好ましい。しかも、陥没部を挿入軸部の周方向に一回り連続した溝で形成したので、旋盤を用いた挿入軸部に対する切削加工で、切削刃の形状に応じて斜状の押上げ面を有した溝を形成できる点で好ましい。
【００１８】
本発明の好ましい形態では、前記ストッパ部材を球体により形成している。
【００１９】
この発明の形態では、ストッパ部材として既存の鋼球等を容易に入手できるとともに、押上げ面を経由するストッパ部材の陥没部に対する出し入れ動作が円滑となる点で好ましい。
【発明の効果】
【００２０】
本発明によれば、操作部材をロック解除位置に移動させてクリック部材のロック状態を解除することで、ベゼルの位置合わせを容易に行えるとともに、操作部材から手を離すことでクリック部材をロック状態として、位置合わせされたベゼルを不用意に回転されないように保持することが可能な時計を提供できる。
【発明を実施するための最良の形態】
【００２１】
以下、図１〜図４を参照して本発明の第１実施形態を説明する。
【００２２】
図１〜図４中符号１０は例えば腕に装着して使用される携帯時計を示している。この携帯時計１０が備える時計外装組立１１内には、表示針１２を駆動する時計ムーブメント１３（図３及び図４に示す）、この時計ムーブメント１３に取付けられた文字板１４、及び時計ムーブメント１３を時計外装組立１１に保持する枠状部材１５（図３及び図４に示す）等が収容されている。
【００２３】
時計外装組立１１は、図１〜図４に示すように好ましくは金属製で環状に作られた胴１６を備えており、この胴１６の厚み方向一面（正面）にカバーガラス１７を液密に装着するとともに、胴１６の厚み方向他面（裏面）に裏蓋１８を取外し可能に螺合して形成されている。カバーガラス１７を通して表示針１２及び文字板１４は視認可能である。なお、図３及び図４中符号１９は弾性を有するＯリング等の環状の防水パッキンを示している。
【００２４】
図３及び図４に示すように胴１６の正面（上面）側の端部には、正面方向に突出する環状凸部２１が一体に設けられているとともに、円環状のベゼル配置部２２が設けられている。環状凸部２１の内周にカバーガラス１７がリング形の樹脂パッキン２０を介して装着されている。環状凸部２１の外周にその周方向に連続する環状の係合凸部２１ａがベゼル配置部２２内に突出して設けられている。ベゼル配置部２２は、上方及び胴１６の外周面に開放され、環状凸部２１を囲んでいる。ベゼル配置部２２の底面２２ａは係合凸部２１ａより下側に位置して環状凸部２１の根元に直角に連なっている。
【００２５】
図１及び図２中符号２４は図示しない巻真を操作するための竜頭を示している。図３及び図４に示すように段付き孔２５及び収容部２６が胴１６に形成されている。これら段付き孔２５及び収容部２６は、図示しないバンドやベルトなどの腕装着部材が接続される４個の取付け凸部１６ａ〜１６ｄ（図１及び図２参照）の内で、竜頭２４に近い位置の二個の取付け凸部１６ａ、１６ｃ間であって、好ましくは竜頭２４と１２時方向に位置する取付け凸部１６ａとの間に設けられている。なお、竜頭２４と６時方向に位置する取付け凸部１６ｃとの間に段付き孔２５及び収容部２６を設けることも可能である。
【００２６】
図３及び図４に示すように段付き孔２５は、胴１６の厚み方向、言い換えれば、上下方向に延びており、例えばいずれも円形をなす大径孔部２５ａと小径孔部２５ｂからなる。大径孔部２５ａの上端はベゼル配置部２２の底面２２ａに開放されている。小径孔部２５ｂの上端は大径孔部２５ａの下端に連続していて、これら大径孔部２５ａと小径孔部２５ｂとの間に段部２５ｃが形成されている。
【００２７】
図２〜図４に示すように収容部２６は例えば胴１６の径方向に延びる段付き孔で形成されている。収容部２６の断面円形をなす大径通孔部２６ａは胴１６の外周面に開口され、収容部２６の断面円形をなす小径通孔部２６ｂは胴１６の内周面１６ｅに開口されている。収容部２６は段付き孔２５に直角に交差していて、その小径通孔部２６ｂの中間部に小径孔部２５ｂの下端が連通されている。つまり、段付き孔２５と収容部２６はＴ字に交差して互いに連通している。
【００２８】
時計外装組立１１は文字板１４を囲むように設けられたベゼル３１を備えている。ベゼル３１は、金属又は合成樹脂等により円環状に作られた回転リングであって、ベゼル配置部２２に嵌合されて胴１６に対して時計回り及び反時計回りの双方向に回転可能に配置されている。ベゼル３１が有した環状の内周凸部３１ａは前記係合凸部２１ａにその下側から引っ掛かっており、それによりベゼル３１が外れないように保持されている。
【００２９】
ベゼル３１は環状凸部２１の上端面と対向するカバー部３１ｂを有している。これとともに、ベゼル３１には、それを回転させる際に指が滑らないようにするための複数ないしは多数の凹凸３１ｃが外周面に設けられている。なお、図３及び図４中符号３２は圧縮状態で使用される弾性を有したＯリング等からなるベゼルパッキンであり、このベゼルパッキン３２によりベゼル３１のがたつきが防止されている。
【００３０】
ベゼル配置部２２の底面２２ａに対向するベゼル３１の裏面には係合部３３が設けられている。この係合部３３は例えばベゼル３１が回転する方向に連続して並んだ複数の凹凸により形成されている。係合部３３をなす各凹凸はいずれもベゼル３１の中心に対する放射方向に延びている。これら凹凸の数は６０又は１２０である。図３（Ｂ）に示すように係合部３３をベゼル３１の周方向に沿って断面した場合の係合部３３の下向きの凸の断面は略三角形状をなし、ベゼル３１の裏面に開放する係合部３３の凹みの断面は、略半球状をなしている。
【００３１】
段付き孔２５の大径孔部２５ａには中央部に上下方向に貫通する内空部を有した付勢体として例えばコイルばね３５が収容されている。このコイルばね３５の下端は段部２５ｃで支持されている。コイルばね３５の上端に例えば金属製のクリック部材３６が支持されている。
【００３２】
クリック部材３６は、上下方向に延びる軸部３６ａと、この上端に一体に形成されたヘッド部３６ｂとからなる。このクリック部材３６の長さは段付き孔２５の長さより短い。ヘッド部３６ｂは、断面円形の軸部３６ａより大径であって、係合部３３の凹みに嵌まる大きさの半球状に形成され、このヘッド部３６ｂの裏面（下面）でコイルばね３５の上端を受けている。
【００３３】
クリック部材３６はそのヘッド部３６ｂを大径孔部２５ａにガイドさせて段付き孔２５に上下動自在に収容されている。ヘッド部３６ｂの上部はコイルばね３５が自由状態にあるときに大径孔部２５ａの上端から突出されている。胴１６にベゼル３１を取付けるに伴ってクリック部材３６を介してコイルばね３５が圧縮状態に保持されるようになっている。それにより、クリック部材３６はコイルばね３５で常に上向きに付勢されて係合部３３に押付けられている。
【００３４】
胴１６には、ベゼル３１の回転操作時以外はクリック部材３６を動かないように保持し、ベゼル３１の回転操作時にはクリック部材３６の動きを許すロック機構４１が設けられている。ロック機構４１は、操作部材４２と、付勢部材例えばコイルスプリング４４と、ストッパ部材４９を備えている。
【００３５】
操作部材４２は収容部２６に移動可能に胴１６の外側から挿入されている。この操作部材４２は、挿入軸部４２ａ及びこの一端に一体に形成された押しボタン部４２ｂとで形成されている。軸方向と直交する方向の断面が円形の挿入軸部４２ａは収容部２６の小径通孔部２６ｂに摺動可能に嵌合されている。押しボタン部４２ｂは、挿入軸部４２ａより大径であって、収容部２６の大径通孔部２６ａに摺動可能に嵌合されている。
【００３６】
胴１６の内部に突出された操作部材４２の他端部にはストッパ部材例えば止め輪４３が取付けられている。止め輪４３は、胴１６の内周面１６ｅに開いた小径通孔部２６ｂの開口より大きく、操作部材４２の軸方向移動に伴って内周面１６ｅに接離可能である。押しボタン部４２ｂと大径通孔部２６ａの底面との間に、付勢部材例えばコイルスプリング４４が圧縮状態に設けられている。コイルスプリング４４に挿入軸部４２ａが通されている。
【００３７】
したがって、操作部材４２は常にコイルスプリング４４で胴１６の外部に向けて付勢されている。これにより、通常、図３に示すように止め輪４３が胴１６の内周面１６ｅに当たって操作部材４２は位置決めされ、押しボタン部４２ｂが胴１６の外周面から十分に突出した状態に保持されている。このため、コイルスプリング４４を更に圧縮変形させるように押しボタン部４２ｂを押し込み操作することにより、操作部材４２を胴１６の内側に向けて移動させることが可能である。なお、コイルスプリング４４等の付勢部材は、胴１６の内側において止め輪４３等のストッパと枠状部材１５との間に配置することも可能である。コイルスプリング４４のばね力（付勢力）は、クリック部材３６を付勢するコイルばね３５のばね力（付勢力）と同じかそれ以上大きい。
【００３８】
操作部材４２はその挿入軸部４２ａの中間部に陥没部４５を有している。陥没部４５の開口は段付き孔２５の小径孔部２５ｂの開口面積より大きい。この陥没部４５は、操作部材４２が押し込まれて図３（Ａ）に示すロック解除位置に移動されることにより、小径孔部２５ｂの直下に配置されてこの小径孔部２５ｂの下端開口に連続されるようになっている。
【００３９】
陥没部４５は、例えば挿入軸部４２ａの周方向に一回り連続した溝、好ましくは断面Ｖ状の溝で形成されている。胴１６の内部側に位置した陥没部４５の斜状の面により押上げ面４５ａが形成されている。陥没部４５の深さは、その内部にストッパ部材４９が落ち込んだ状態で、このストッパ部材４９の一部好ましくは略上半分が陥没部４５の開口より突出するような深さに設定されている。
【００４０】
陥没部４５は、押上げ面４５ａを有する構成であれば、断面Ｖ状の溝に限らず、いかなる溝形状であってもよい。前記のように陥没部４５を挿入軸部４２ａの周方向に一回り連続した断面Ｖ状の溝で形成した構成は、挿入軸部４２ａに対する旋盤を用いた切削加工で、切削刃の形状に応じて斜状の押上げ面４５ａを有した溝からなる陥没部４５を形成できる点で好ましいとともに、組立時に陥没部４５の向きを考慮することなく操作部材４２を胴１６に組み込める点で好ましい。
【００４１】
陥没部４５よりも胴１６の内部側に位置した挿入軸部４２ａの周面は、押上げ面４５ａに連続する閉鎖面４２ｃとして用いられている。この閉鎖面４２ｃは、操作部材４２がコイルスプリング４４で押し戻されて図３に示すロック位置に移動されることにより、小径孔部２５ｂの直下に配置されてこの小径孔部２５ｂの下端開口を閉じるようになっている。閉鎖面４２ｃとして挿入軸部４２ａの周面を利用した構成は、操作部材４２の構成が簡単で、閉鎖面４２ｃを作るために操作部材４２に格別な加工を要しない点で好ましい。
【００４２】
操作部材４２を軸方向移動させることにより、この操作部材４２を前記ロック位置又は図４に示すロック解除位置に配置させて、小径孔部２５ｂの下端開口に閉鎖面４２ｃ又は陥没部４５を選択的に対向させる構成であるから、操作部材４２をロック位置に配置するには、操作部材４２の押しボタン部４２ｂを単に押圧するという簡単な押し込み操作で済み操作性がよい。なお、図３及び図４中符号４６は挿入軸部４２ａの外周部に嵌合して取付けられたリング形の防水パッキンを示しており、これにより係合部３３と操作部材４２との間の防水が確保されている。
【００４３】
ストッパ部材４９は、クリック部材３６と操作部材４２とは別の部品からなり、これらクリック部材３６とこれより下方に設けられている操作部材４２の挿入軸部４２ａとの間に配置されている。このストッパ部材４９には、小径孔部２５ｂの孔径より小径で陥没部４５に出し入れ可能な球体、例えば鋼球が用いられている。球体からなるストッパ部材４９の直径Ｄと、陥没部４５への出し入れに伴うストッパ部材４９の上下方向の移動量Ｌと、前記底面２２ａと係合部３３の凹みの奥との間の高さ寸法、言い換えれば、クリック部材３６の予想される最大の移動量Ｌ１（図４参照）とは、Ｄ/２≧Ｌ＞Ｌ１の関係を満たしている。
【００４４】
ストッパ部材４９を鋼球とすることは容易に入手できる点で好ましい。それだけではなく、ストッパ部材４９が自由回転できることにより、押上げ面４５ａを経由する陥没部４５に対するストッパ部材４９の出し入れ動作が円滑になされる。そのため、操作部材４２の押し込みに過大な押し込み操作力を要しない点で好ましい。なお、ストッパ部材４９には、球体以外に、上部と下部のうち少なくとも下部が半球状をなす短い棒を用いることが可能である。
【００４５】
次に、クリック部材３６及びロック機構４１等を胴１６に組み付ける手順を説明する。
【００４６】
まず、防水パッキン４６が既に取付けられている操作部材４２の挿入軸部４２ａの外周にコイルスプリング４４を嵌合した上で、胴１６の外側から挿入軸部４２ａを先頭にして操作部材４２を収容部２６に挿入するとともに、胴１６の内側において挿入軸部４２ａの先端部に止め輪４３を取付ける。これにより、胴１６に取付けられた操作部材４２は、圧縮状態に保持されたコイルスプリング４４のばね力で、胴１６の外側方向に常に付勢される。したがって、操作部材４２は図３に示すロック位置に配置され、その挿入軸部４２ａの閉鎖面４２ｃが段付き孔２５の小径孔部２５ｂの下端を閉じるとともに、陥没部４５は小径孔部２５ｂに対して胴外側寄りに配置される。
【００４７】
次に、段付き孔２５にその上方からストッパ部材４９を落とし込んで、このストッパ部材４９を小径孔部２５ｂに収容した後、段付き孔２５の大径通孔部２６ａにその上方からコイルばね３５を収容する。更に、クリック部材３６を、その軸部３６ａを先頭にして段付き孔２５にその上方から挿入する。それにより、軸部３６ａをコイルばね３５に貫通させるとともに、クリック部材３６のヘッド部３６ｂを大径通孔部２６ａに嵌合させて、コイルばね３５の上端にヘッド部３６ｂを支持させる。
【００４８】
この後、ベゼルパッキン３２が既に取付けられているベゼル３１を胴１６のベゼル配置部２２に嵌合して、このベゼル３１の内周凸部３１ａを胴１６の係合凸部２１ａに引っ掛ける。それにより、ベゼル３１が胴１６に対して回転可能に配置される。このベゼル３１の取付けに伴い、クリック部材３６が押し下げられるとともにコイルばね３５が圧縮状態に変形される。そのため、コイルばね３５のばね力でクリック部材３６がベゼル３１の係合部３３に押付けられるとともに、このクリック部材３６の軸部３６ａと操作部材４２の閉鎖面４２ｃとの間にストッパ部材４９が挟まれるように配置される。この場合、軸部３６ａの下端とストッパ部材４９とは接していることが好ましいが、両者間に僅かな隙間があってもよい。以上の組立完了状態を図３に示す。
【００４９】
人体の腕に装着した携帯時計１０のベゼル３１を回転操作する場合には、以下の手順で行えばよい。
【００５０】
まず、コイルスプリング４４のばね力に抗して操作部材４２の押しボタン部４２ｂを、工具を要することなく指一本で胴内側に押し込む。それに伴い、段付き孔２５の小径孔部２５ｂに対して閉鎖面４２ｃが胴内側にずれるとともに、陥没部４５が小径孔部２５ｂの下端に連続する。それにより、ストッパ部材４９が自重により陥没部４５に落ち込んで、図４に示すようにストッパ部材４９とクリック部材３６の下端との間に、クリック部材３６の下降を許す隙間Ｇが形成される。この隙間Ｇの上下方向の大きさは前記落込みに伴いストッパ部材４９の移動量Ｌに等しい。
【００５１】
こうして操作部材４２を押し込んだ状態のまま、他の指でベゼル３１を所望角度回転操作させる。それにより、ベゼル３１の裏面の係合部３３と胴１６に支持されているクリック部材３６と相対位置が変わるに伴って、クリック部材３６が係合部３３の下向きの凸でコイルばね３５に抗して押し下げられた後に、この凸に隣接した係合部３３の凹みにクリック部材３６がコイルばね３５の力で入り込んだ係合状態となる。そのため、ベゼル３１が一定角度回転するたびにクリック感が得られる。そして、ベゼル３１の回転操作を停止した時点で、クリック部材３６が係合部３３の凹みに入り込んだ係合状態が保持されるので、ベゼル３１は所望の回転位置に静止される。
【００５２】
以上のクリック動作の場合に、クリック部材３６のヘッド部３６ｂが段付き孔２５の大径孔部２５ａにガイドされるので、クリック部材３６の上下動を安定させることができる。これとともに、クリック部材３６の半球状をなすヘッド部３６ｂがベゼル３１の係合部３３の凹みに係脱するので、クリック感を与える際、係合部３３の凹凸にクリック部材３６が引っ掛かってベゼル３１の回転操作に支障をきたす恐れがなく、ベゼル３１に対してクリック部材３６が係脱するクリック動作が円滑に行われる。
【００５３】
又、既述のようにベゼル３１の回転に伴いクリック部材３６がコイルばね３５に抗して下降することは、前記隙間Ｇの形成により許されるので、クリック部材３６の上端に対する係合部３３の下向きの凸の通過が許される。そのため、クリック部材３６がベゼル３１の時計回り又は反時計回りの回転を妨げることはなく、ベゼル３１はいずれの方向に回転できる。したがって、一方向の回転により、所望回転位置より多少行き過ぎた誤操作をした場合には、その位置から前記行き過ぎ量に応じてベゼル３１を逆回転させて、このベゼル３１が所望回転位置で静止するように容易に修正することができる。
【００５４】
ベゼル３１が所望角度回転操作された後に、操作部材４２の押し込みを解除することにより、この操作部材４２は、コイルスプリング４４のばね力で押し戻されて、止め輪４３により図３（Ａ）に示すロック位置に保持される。それに伴い、陥没部４５内のストッパ部材４９が陥没部４５の押上げ面４５ａによって陥没部４５から上向きに押し出され、その直後に閉鎖面４２ｃが小径孔部２５ｂの下端開口を閉じるように配置される。
【００５５】
したがって、ストッパ部材４９が、閉鎖面４２ｃ上に支持されるとともに、クリック部材３６の下端に接触又は至近距離で対向して、クリック部材３６の下降を妨げるように配置される。つまり、ロック機構４１のストッパ部材４９によってクリック部材３６が下方に動くことが阻止される。そのため、この時点以降において、携帯時計１０を携帯するに伴い、ベゼル３１にこれを回転しようとする外力が作用しても、所望回転位置に位置合わせされたベゼル３１が不用意に回転されないように保持できる。
【００５６】
又、コイルばね３５、クリック部材３６、及びロック機構４１を、ベゼル３１ではなく胴１６に配設したので、胴１６が本来有している大きさを利用して、ベゼル３１を回転させるときのクリック動作と回転が停止された位置への保持を担うロック機構４１等を組み込むことができ、胴１６の厚みなどを大きくする必要がない。なお、ロック機構４１等をベゼル３１に組み込む場合には、その組み込みのためのスペースをベゼル３１に要するので、ベゼルが径方向及び厚み方向にも大きくなるので好ましくない。
【００５７】
しかも、ロック機構４１等を胴１６に設けたので、操作部材４２を押し込んでいる指がベゼル３１の回転操作に伴って移動することがない。このため、腕に時計を装着した状態下でベゼル３１の回転操作量が多い場合にも、ベゼル３１を回転操作において手首等の角度が殆ど変わることがない。したがって、特に手首の関節での動きが窮屈になることが抑制されるので、ベゼル３１を容易に回転させることができる。なお、操作部材４２を右手の中指で押し込んだ場合、右手の親指又は人指し指の内少なくとも親指でベゼル３１を回転させればよく、操作部材４２を右手の親指又は人指し指で押し込んだ場合、右手の人指し指又は親指でベゼル３１を回転させればよい。
【００５８】
図５及び図６を参照して本発明の第２実施形態を説明する。この実施形態は、クリック部材３６を二部材で形成した点が第１実施形態とは異なり、その他は第１実施形態と同じである。そのため、第１実施形態と同じ構成については、第１実施形態と同一符号を付してその説明を省略する。
【００５９】
図５及び図６に示すようにクリック部材３６は、軸部３７と、ヘッド部３８とからなる。軸部３７は、上端にヘッド受け部３７ａを有している。ヘッド受け部３７ａは、平面視円形であり、段付き孔２５の大径孔部２５ａに摺動可能に嵌合されている。このヘッド受け部３７ａの上面は凹曲面で形成されている。ヘッド部３８は球体例えば鋼球で形成されている。ヘッド部３８はヘッド受け部３７ａ上に回転可能に配置されている。更に、ヘッド部３８は、コイルばね３５のばね力でヘッド受け部３７ａとベゼル３１とで挟まれていて、ベゼル３１の係合部３３に係脱されるようになっている。以上説明した事項以外は第１実施形態と同じである。
【００６０】
したがって、第２実施形態の携帯時計１０も第１実施形態で説明したと同様の理由により、ベゼル３１の位置合わせが容易で、かつ、位置合わせされたベゼル３１が不用意に回転されないようにできる。
【００６１】
しかも、この第２実施形態では、クリック部材３６を、軸部３７と、この軸部３７のヘッド受け部３７ａ上に回転可能に配置された球体からなるヘッド部３８で形成したので、ベゼル３１を回転操作するたびにヘッド部３８がヘッド受け部３７ａ上で回転する。そのため、円滑なクリック動作が得られる。更に、ヘッド部３８の回転に伴いこれとベゼル３１の係合部３３との接触箇所が変わるので、ヘッド部３８の特定の接触箇所の摩耗が、ヘッド部３８の他の箇所よりも進行しないようにできる点で好ましい。
【００６２】
なお、前記各実施形態では、ベゼル３１の裏面とこの裏面に対向するベゼル配置部２２の底面２２ａとの間に僅かな隙間を設けたが、この隙間を消失させるように前記裏面と底面２２ａとを軽微に接触させることもできる。又、ベゼル３１は、ベゼルパッキン３２が取付けられるとともに裏面に係合部３３を有したベゼル本体と、この本体とは別に成形されてベゼル本体にかしめ止めなどに連結されるカバー部３１ｂとで形成することもできる。
【図面の簡単な説明】
【００６３】
【図１】本発明の第１実施形態に係る携帯時計を示す正面図。
【図２】図１の携帯時計を一部切欠いて示す裏面図。
【図３】（Ａ）は図１の携帯時計が備えるベゼルの回転がロックされた状態を図１中Ｚ−Ｚ線に沿って示す断面図。（Ｂ）は図３（Ａ）中Ｙ−Ｙ線に沿って示す断面図。
【図４】図１の携帯時計が備えるベゼルの回転のロックが解除された状態を図１中Ｚ−Ｚ線に沿って示す断面図。
【図５】本発明の第２実施形態に係る携帯時計が備えるベゼルの回転がロックされた状態を示す断面図。
【図６】本発明の第２実施形態に係る携帯時計が備えるベゼルの回転のロックが解除された状態を示す断面図。
【符号の説明】
【００６４】
１０…携帯時計（時計）
１１…時計外装組立
１６…胴
２１…環状凸部
２２…ベゼル配置部
２２ａ…ベゼル配置部の底面
２５…段付き孔
２５ａ…段付き孔の大径孔部
２５ｂ…段付き孔の小径孔部
２５ｃ…段部
２６…収容部
２６ａ…収容部の大径通孔部
２６ｂ…収容部の小径通孔部
３１…ベゼル
３３…係合部
３５…コイルばね(付勢体)
３６…クリック部材
３６ａ…クリック部材の軸部
３６ｂ…クリック部材のヘッド部
３７…クリック部材の軸部
３７ａ…軸部のヘッド受け部
３８…クリック部材のヘッド部
４１…ロック機構
４２…操作部材
４２ａ…操作部材の挿入軸部
４２ｂ…操作部材の押しボタン部
４２ｃ…操作部材の閉鎖面
４４…コイルスプリング（付勢部材）
４５…陥没部
４５ａ…陥没部の押上げ面
４９…ストッパ部材
【図１】
2008128880.tif 000003
【図２】
2008128880.tif 000004
【図３】
2008128880.tif 000005
【図４】
2008128880.tif 000006
【図５】
2008128880.tif 000007
【図６】
2008128880.tif 000008